(57)【要約】【課題】修行や長距離運転を快適に実施することができる男性用下着の提供。【解決手段】褌１は、腰紐部材２に固定され、臀部、股間部、及び下腹部を経て前記腰紐部材に通して前方に折り返し垂らした前垂れ部１１の先端が、少なくとも下腹部を越えて股間部まで達する長さの幅広帯布部材１０に対し、股間部を経て最初に下腹部に達した下腹保護部１２の所定位置に開口部２０を設ける。開口部２０は、ブリーフの開口部と同様、幅広帯布部材１０の中心側が閉じられることなく重なり合う裏布部２１と表布部２２とによって形成され、左右には開口の上端から下端にわたって伸びる面ファスナ３１，３２が備えられる。これら面ファスナ３１，３２の左右間隔に対応する面ファスナ３３，３４が前垂れ部１１の先端近くに備えられる。【選択図】  図１
0003222047.tif 000002
【実用新案登録請求の範囲】
【請求項１】
腰部を締め付ける腰部締め付け部と、該腰部締め付け部に固定され、臀部、股間部、及び下腹部を経て前記腰部締め付け部まで至る下着本体部とを備え、さらに以下の構成をも備えていることを特徴とする男性用下着。
（１）前記下着本体部に対し、前記股間部を経て下腹部前面に達した下腹保護部の所定位置に開口部を設けると共に、前記腰部締め付け部から前記開口部の下端より下まで達する長さの前垂れ部を備えさせ、該前垂れ部を、前記開口部の左右において上下方向所定範囲にわたって閉じた状態とする様に前記下腹保護部の前面及び前記前垂れ部の裏面に面ファスナを取り付けたこと。
【請求項２】
さらに、以下の構成をも備えていることを特徴とする請求項１に記載の男性用下着。
（２Ａ）前記腰部締め付け部を、腰部に巻き付けて固定する腰紐部材によって構成し、前記下着本体部を、臀部、股間部、及び下腹部を経て前記腰紐部材に通して前方に折り返し垂らした先端が、少なくとも下腹部を越えて股間部まで達する長さの幅広帯布部材によって構成し、前記前垂れ部を、前記幅広帯布部材を前記腰紐部材に通して前方に折り返して垂らすことによって構成したこと。
（２Ｂ）前記開口部は、中心側が閉じられることなく重なり合う裏布部材と表布部材とによって形成されていること。
【請求項３】
さらに、以下の構成をも備えていることを特徴とする請求項２に記載の男性用下着。
（３）前記面ファスナを、前記幅広帯布部材をつづら折りに折り畳んだときの折り線と重なる部分には隙間をあける様に備えさせたこと。
【請求項４】
さらに、以下の構成をも備えていることを特徴とする請求項２又は３に記載の男性用下着。
（４）前記腰紐部材が、前記幅広帯布部材の左右に伸び、先端同士を重ね合わせた状態で固定することのできる面ファスナを備えた伸縮性を有する帯紐で構成されていること。
【請求項５】
さらに、以下の構成をも備えていることを特徴とする請求項２〜４のいずれかに記載の男性用下着。
（５）前記幅広帯布部材に、前記前方に折り返す位置に対して腰紐部材側と前垂れ部側とで表裏反対となり、かつ長さ方向に重ならない様に、機能性シート部材を備えさせたこと。
【考案の詳細な説明】
【技術分野】
【０００１】
本考案は、男性用下着に係り、特に、回峰行や水行などの修行を行う者の着用に適する褌や、長距離トラック運転手の着用に適するブリーフに関する。
【背景技術】
【０００２】
従来、素材としてタオル地を用いて肌触りを改善した褌が提案されている（特許文献１）。
【先行技術文献】
【特許文献】
【０００３】
【特許文献１】実用新案登録第３１９２０３７号
【考案の概要】
【考案が解決しようとする課題】
【０００４】
しかし、回峰行において険しい山中を長時間かけて歩き回る場合、褌で押さえられた陰茎と陰嚢との擦れ、陰茎と陰嚢の接触部分の蒸れが問題となる。長距離トラック運転に際しても、同様の問題がある。
【０００５】
本考案は、回峰行や水行などの修行を快適に実施できる行者向けの褌や長距離トラック運転を快適に実施できるトラック運転手向けのブリーフといった男性用下着の提供を目的とする。
【課題を解決するための手段】
【０００６】
上記目的を達成するためになされた本考案の男性用下着は、腰部を締め付ける腰部締め付け部と、該腰部締め付け部に固定され、臀部、股間部、及び下腹部を経て前記腰部締め付け部まで至る下着本体部とを備え、さらに以下の構成をも備えていることを特徴とする。
（１）前記下着本体部に対し、前記股間部を経て下腹部前面に達した下腹保護部の所定位置に開口部を設けると共に、前記腰部締め付け部から前記開口部の下端より下まで達する長さの前垂れ部を備えさせ、該前垂れ部を、前記開口部の左右において上下方向所定範囲にわたって閉じた状態とする様に前記下腹保護部の前面及び前記前垂れ部の裏面に面ファスナを取り付けたこと。
【０００７】
本考案の男性用下着を着用する際には、開口部から陰茎を露出させた状態にて前垂れ部で覆いつつ前垂れ部を下腹保護部に対して面ファスナで固定する。この結果、陰茎と陰嚢が接触しない状態にて男性用下着を着用することができる。この際、面ファスナが開口部の左右において上下方向所定範囲にわたって閉じた状態とする様に取り付けられているから、開口部から露出させた陰茎を所望の向きに向かせた状態で適度に保持することができる。
【０００８】
ここで、本考案の褌は、さらに、以下の構成をも備える褌型の男性用下着とすることができる。
（２Ａ）前記腰部締め付け部を、腰部に巻き付けて固定する腰紐部材によって構成し、前記下着本体部を、臀部、股間部、及び下腹部を経て前記腰紐部材に通して前方に折り返し垂らした先端が、少なくとも下腹部を越えて股間部まで達する長さの幅広帯布部材によって構成し、前記前垂れ部を、前記幅広帯布部材を前記腰紐部材に通して前方に折り返して垂らすことによって構成したこと。
（２Ｂ）前記開口部は、中心側が閉じられることなく重なり合う裏布部材と表布部材とによって形成されていること。
【０００９】
この様に構成した場合、褌ではあるが開口部はブリーフの開口部と同様であり、開口部からの陰茎の出し入れを容易に実施することができる。また、水行の際などには、陰茎を露出させない様にしておけば、裏布部、表布部、前垂れ部の三枚以上の布で覆われるから、陰茎を透けて見え難くする効果もある。
【００１０】
この様な本考案の褌型の男性用下着は、さらに、以下の構成をも備えるとよい。
（３）前記面ファスナを、前記幅広帯布部材をつづら折りに折り畳んだときの折り線と重なる部分には隙間をあける様に備えさせたこと。
【００１１】
携行などに際してつづら折に折り畳む際に畳み難くならない。この結果、面ファスナを上下方向に長い範囲に取り付けることが可能で、開口部から露出させた陰茎を快適な位置に保持する効果を高めることができる。
【００１２】
これら本考案の褌型の男性用下着は、さらに、以下の構成をも備えるとよい。
記載の男性用下着。
（４）前記腰紐部材が、前記幅広帯布部材の左右に伸び、先端同士を重ね合わせた状態で固定することのできる面ファスナを備えた伸縮性を有する帯紐で構成されていること。
【００１３】
例えば、ゴム製の幅広帯紐などを用いる。これにより、使用する者の体型に差があっても容易に腰紐部材を装着でき、腰紐部材がしっかりと固定されることで回峰行などの修行中におけるずれ防止にも効果がある。
【００１４】
これら本考案の褌型の男性用下着は、さらに、以下の構成をも備えるとよい。
記載の男性用下着。
（５）前記幅広帯布部材に、前記前方に折り返す位置に対して腰紐部材側と前垂れ部側とで表裏反対となり、かつ長さ方向に重ならない様に、機能性シート部材を備えさせたこと。
【００１５】
機能性シート部材として、例えば、「シート状の保温パット」を備えさせれば冬場の修行も快適に実施できる。この際、「前方に折り返す位置に対して腰紐部材側と前垂れ部側とで表裏反対」とは、腰紐部材側において股間等に対面する面と、前垂れ部側において腹部に対面する面とが幅広帯布部材として見たときに表裏逆になることと対応するものであり、装着時に人体側に向く面に機能性シート部材を備えさせることを意味する。そして、これら表裏反対に備えた機能性シート部材同士が長さ方向に重ならないことによってモコモコした感じなどの違和感を防止することができる。
【考案の効果】
【００１６】
本考案の男性用下着によれば、回峰行や水行などの修行や長距離トラック運転を快適に実施することができる。
【図面の簡単な説明】
【００１７】
【図１】実施例１の使用時に背中側となる面を正面として示し、（Ａ）は正面図、（Ｂ）は背面図、（Ｃ）は開口部の拡大正面図、（Ｄ）は開口部の拡大背面図である。
【図２】実施例１の褌の装着方法を人の腹側を正面として示し、（Ａ），（Ｆ）は正面図、（Ｂ）〜（Ｅ），（Ｇ）は左側面図、（Ｈ）は背面図である。
【図３】他の実施例を使用時に背中側となる面を正面として示し、（Ａ），（Ｂ）は実施例２の正面図、（Ｃ１）〜（Ｃ４）は実施例２における郵送方法を示す説明図、（Ｄ１）は実施例３の正面図、（Ｄ２）は実施例３の背面図、（Ｅ）は実施例４の正面図、（Ｆ）は実施例５の正面図である。
【図４】実施例６を示し、（Ａ）は前垂れ部を持ち上げた状態の正面図、（Ｂ）は前垂れ部を垂らした状態の正面図、（Ｃ）は左側面図、（Ｄ）は背面図、（Ｅ）は着用時の正面図、（Ｆ）は着用時の左側面図、（Ｇ）は着用時の背面図である。
【考案を実施するための形態】
【００１８】
以下、本考案を実施するための形態を実施例で説明する。
【実施例１】
【００１９】
実施例１の褌１は、図１，図２に示す様に、腰部に巻き付けて固定する腰紐部材２と、腰紐部材２に固定され、臀部、股間部、及び下腹部を経て腰紐部材２に通して前方に折り返し垂らした前垂れ部１１の先端が、少なくとも下腹部を越えて股間部まで達する長さの幅広帯布部材１０とを備え、幅広帯布部材１０に対し、股間部を経て最初に下腹部に達した下腹保護部１２の所定位置に開口部２０を設ける。なお、開口部２０と腰紐部材２との間は臀部覆い部１３となる。
【００２０】
開口部２０は、図１（Ｃ），（Ｄ）に示す様に、ブリーフの開口部と同様、幅広帯布部材１０の中心側が閉じられることなく重なり合う裏布部２１と表布部２２とによって形成されている。この開口部２０の左右には、開口の上端から下端にわたって上下方向に伸びる面ファスナ３１，３２が備えられている。そして、これら面ファスナ３１，３２の左右間隔に対応する面ファスナ３３，３４が前垂れ部１１の先端近くに備えられている。
【００２１】
また、腰紐部材２は、幅広帯布部材１０を中心に左右に伸び、先端同士を重ね合わせた状態で固定する面ファスナ３，４を備えた伸縮性を有する広幅のゴム製帯紐で構成されている。
【００２２】
褌１を着用する際には、図２に示す様に、幅広帯布部材１０を背中側にして腰紐部材２を腰部に巻き付けて面ファスナ３，４にて固定すると共に、臀部、股間部、及び下腹部を経て腰紐部材２に通す様にして前垂れ部１１を胸の正面に抜き上げる。その後、開口部２０から陰茎を露出させ、例えば陰茎を上向きに保持する様に前垂れ部１１で覆いつつ、面ファスナ３１，３２−３３，３４にて前垂れ部１１を下腹保護部１２に対して固定する。このとき、前垂れ部１１の余った部分は下腹部の前面にて折り返しておくとよい。
【００２３】
この結果、実施例１の褌１は、陰茎と陰嚢が接触しない状態にて着用することができ、回峰行などにおいて陰茎と陰嚢が擦れたり蒸れたりするのを防止することができる。また、腰紐部材２が伸縮性を有するから、使用する者の体型に差があっても容易に装着でき、しっかりと固定されるから、回峰行の最中にずれ難い。さらに、開口部２０は、ブリーフの開口部と同様であるから、陰茎の出し入れを容易に実施することができ、開口部２０の裏側に陰茎を収納する場合は、裏布部２１、表布部２２、前垂れ部１１の三枚以上の布で覆われるから、水行などにおいて透けて見え難い。前垂れ部１１と下腹保護部１２の固定は面ファスナ３１，３２−３３，３４によって行うから、脱着が容易であり、面ファスナ３１，３２−３３，３４は開口部２０の左右において上下方向に長い範囲に取り付けられているから、開口部２０から露出させた陰茎を快適な位置に保持することができる。
【実施例２】
【００２４】
実施例２の褌４１は、図３（Ａ），（Ｂ）に示す様に、面ファスナを、幅広帯布部材１０をつづら折りに折り畳んだときの折り線と重なる部分には隙間４２，４３をあける様に備えさせたものである。この結果、図３（Ｃ１），（Ｃ２）に示す様に、幅広帯布部材１０をつづら折に折り畳む際に畳みにくくならず、小さく折り畳むことができる。こうして折り畳んだ褌４１は、図３（Ｃ３），（Ｃ４）に示す様に、そのまま洗濯できる様に洗濯ネット４４に収納し、Ａ４サイズの市販封筒４５（例えば、「レターパック（登録商標）」）などにて修行中の山中から自宅等へと郵送したり、通信販売の用に供することもできる。なお、腰紐部材や開口部等は実施例１と同様になっている。
【実施例３】
【００２５】
実施例３の褌５１は、図３（Ｄ１），（Ｄ２）に示す様に、幅広帯布部材１０に、折り返す位置よりも腰紐部材側と前垂れ部側とで表裏反対となり、かつ長さ方向に重ならない様に、快適性を向上させる機能性シート部材５２，５３を備えさせたものである。機能性シート部材として、例えば、「シート状の保温パット」を備えさせれば冬場の修行も快適に実施でき、表裏反対に備えた機能性シート部材同士が長さ方向に重ならないことによってモコモコした感じなどの違和感を防止することもできる。なお、腰紐部材や開口部等は実施例１と同様になっている。
【実施例４】
【００２６】
実施例４の褌６１は、図３（Ｅ）に示す様に、幅広帯布部材１０に滝の流れの模様６２を印刷したものである。
【実施例５】
【００２７】
実施例５の褌７１は図３（Ｆ）に示す様に、幅広帯布部材１０に市松模様７２を印刷したものである。実施例４の褌６１は、水行のイメージを、実施例５の褌７１は弁慶の様な質実剛健なイメージを、それぞれ感じさせる。なお、図においては臀部にのみ模様を施した態様で示しているが、幅広帯布部材１０の全体に模様を施しておけば、水行などの際の透けを防止する効果が高まる。なお、腰紐部材や開口部等は実施例１と同様になっている。
【実施例６】
【００２８】
実施例６としてブリーフタイプの男性用下着を示す。ブリーフ８１は、図４に示す様に、伸縮性のある帯布をリング状にした腰部締め付け部８２と、腰部締め付け部８２に固定され、臀部、股間部、及び下腹部を経て腰部締め付け部８２まで至る下着本体部として下腹保護部９２と、臀部覆い部９３とを備える。下腹保護部９２の所定位置には、図１（Ｂ），（Ｃ）で説明したのと同様の構造からなる開口部１００が設けられる。また、下腹保護部９２の前面側に位置する様に、腰部締め付け部８２から開口部１００に至る長さの前垂れ部９１をも備える。この前前垂れ部９１を開口部１００の左右において上下方向所定範囲にわたって閉じた状態とする様に、下腹保護部９２及び前垂れ部９１に面ファスナ１０１，１０２，１０３，１０４を取り付けてある。
【００２９】
ブリーフ８１を着用する際には、図２（Ｅ），（Ｆ）に示す様に、開口部１００から陰茎を露出させ、例えば陰茎を上向きに保持する様に前垂れ部９１で覆いつつ、面ファスナ１０１，１０２−１０３，１０４にて前垂れ部９１を下腹保護部９２に対して固定する。このブリーフ８１によれば、陰茎と陰嚢が接触しない状態にて着用することができ、長距離トラックの運転などにおいて蒸れるのを防止することができる。
【００３０】
以上、本考案の実施例について説明したが、本考案は上述した実施例に限られることなく、その要旨を逸脱しない範囲内において、さらに種々の態様にて実施することができる。
【産業上の利用可能性】
【００３１】
修行等を行う者や長距離運転をする者の下着として利用することができる。
【符号の説明】
【００３２】
１・・・褌、２・・・腰紐部材、３，４・・・面ファスナ、１０・・・幅広帯布部材、１１・・・前垂れ部、１２・・・下腹保護部、１３・・・臀部覆い部、２０・・・開口部、２１・・・裏布部、２２・・・表布部、３１，３２，３３，３４・・・面ファスナ、４１・・・褌、４２，４３・・・隙間、４４・・・洗濯ネット、４５・・・市販封筒、５１・・・褌、５２，５３・・・機能性シート部材、６１・・・褌、６２・・・滝の流れの模様、７１・・・褌、７２・・・市松模様、８１・・・ブリーフ、８２・・・腰部締め付け部、９１・・・前垂れ部、９２・・・下腹保護部、９３・・・臀部覆い部、１００・・・開口部、１０１，１０２，１０３，１０４・・・面ファスナ。
【図１】
0003222047.tif 000003
【図２】
0003222047.tif 000004
【図３】
0003222047.tif 000005
【図４】
0003222047.tif 000006